(57)【要約】【課題】接着テープを用いずに梱包具を容易に組み立てることができる梱包具を提供する。【解決手段】梱包具３００は、外部材１００と、内部材２００とを備える。外部材１００は、底面１１０と第１側面１２０と上面１３０と突起部１４０とを有する。内部材２００は、外部材１００の底面１１０に載置される。内部材２００は、外部材１００の内側に位置する。突起部１４０は、上面１３０に接続している。突起部１４０は、本体部１４２と第１凹部１４４とを有する。内部材２００は、底面２１０と、第２側面２２０とを有する。第２側面２２０には、第２凹部２２２が設けられている。第１凹部１４４と第２凹部２２２とは係合する。【選択図】図１
2020083443.tif 000002
【特許請求の範囲】
【請求項１】
底面と第１側面と上面と突起部とを有する外部材と、
前記外部材の前記底面に載置され、前記外部材の内側に位置する内部材と
を備え、
前記突起部は、前記上面に接続しており、
前記突起部は、本体部と第１凹部とを有し、
前記内部材は、
底面と、
第２凹部が設けられた第２側面と
を有し、
前記第１凹部と前記第２凹部とが係合する、梱包具。
【請求項２】
前記第１側面と前記第２側面とは直交する、請求項１に記載の梱包具。
【請求項３】
前記本体部の高さは、前記第２側面の高さと等しい、請求項１または請求項２に記載の梱包具。
【請求項４】
前記本体部の高さは、前記第２側面の高さよりも低い、請求項１または請求項２に記載の梱包具。
【請求項５】
前記外部材は、接続部をさらに有し、
前記突起部は、第１突起部および第２突起部を含み、
前記接続部は、前記第１突起部と前記第２突起部とを接続する、請求項１から請求項４のいずれか１項に記載の梱包具。
【請求項６】
前記上面は、第１上面と第２上面とを含み、
前記突起部は、前記第１上面に接続する第１突起部および第２突起部を含み、
前記外部材は、前記第１上面に接続しており、前記第１突起部と前記第２突起部との間に位置する挿入部をさらに有し、
前記第２上面には、挿入口が設けられており、
前記挿入部は、前記挿入口に挿入されている、請求項１から請求項４のいずれか１項に記載の梱包具。
【請求項７】
前記第２凹部は、前記第２側面の中央に設けられている、請求項１から請求項６のいずれか１項に記載の梱包具。
【請求項８】
前記第２凹部は、前記第２側面の中央からずれた位置に設けられている、請求項１から請求項６のいずれか１項に記載の梱包具。
【請求項９】
前記外部材は、突出部を有する舌片をさらに有し、
前記舌片は、前記外部材の前記底面および前記第１側面に設けられており、
前記舌片は、前記第１側面の少なくとも一方の端部に位置する、請求項１から請求項８のいずれか１項に記載の梱包具。
【請求項１０】
前記舌片の少なくとも一部は、前記第２側面に当接する、請求項９に記載の梱包具。
【請求項１１】
前記舌片は、
前記外部材の前記底面と接続する舌片本体部と、
前記第１側面と接続する連結部と
をさらに有し、
前記舌片本体部の少なくとも一部は、前記連結部の幅よりも広い、請求項９または請求項１０に記載の梱包具。
【請求項１２】
前記第１側面は、前記舌片に隣接する位置の少なくとも一部に開口が設けられている、請求項９から請求項１１のいずれか１項に記載の梱包具。
【請求項１３】
前記内部材は、フィルムをさらに有する、請求項１から請求項１２のいずれか１項に記載の梱包具。
【発明の詳細な説明】
【技術分野】
【０００１】
本発明は、梱包具に関する。
【背景技術】
【０００２】
特許文献１に記載の梱包具（包装キット）は、梱包具で物品を梱包して、外箱に入れて使用される。
【先行技術文献】
【特許文献】
【０００３】
【特許文献１】特表平９−５０１１２８号公報
【発明の概要】
【発明が解決しようとする課題】
【０００４】
しかしながら、特許文献１に記載の梱包具では、外箱を閉じるために接着テープが必要である。したがって、接着テープを用いずに梱包具を組み立てることができない。
【０００５】
本発明は上記課題に鑑みてなされたものであり、その目的は接着テープを用いずに梱包具を容易に組み立てることができる梱包具を提供することにある。
【課題を解決するための手段】
【０００６】
本発明に係る梱包具は、外部材と、内部材とを備える。前記外部材は、底面と第１側面と上面と突起部とを有する。前記内部材は、前記外部材の前記底面に載置される。前記内部材は、前記外部材の内側に位置する。前記突起部は、前記上面に接続している。前記突起部は、本体部と第１凹部とを有する。前記内部材は、底面と、第２側面とを有する。前記第２側面には、第２凹部が設けられている。前記第１凹部と前記第２凹部とは係合する。
【０００７】
ある実施形態において、前記第１側面と前記第２側面とは直交する。
【０００８】
ある実施形態において、前記本体部の高さは、前記第２側面の高さと等しい。
【０００９】
ある実施形態において、前記本体部の高さは、前記第２側面の高さよりも低い。
【００１０】
ある実施形態において、前記外部材は、接続部をさらに有する。前記突起部は、第１突起部および第２突起部を含む。前記接続部は、前記第１突起部と前記第２突起部とを接続する。
【００１１】
ある実施形態において、前記上面は、第１上面と第２上面とを含む。前記突起部は、前記第１上面に接続する第１突起部および第２突起部を含む。前記外部材は、挿入部をさらに有する。前記挿入部は、前記第１上面に接続している。前記挿入部は、前記第１突起部と前記第２突起部との間に位置する。前記第２上面には、挿入口が設けられている。前記挿入部は、前記挿入口に挿入されている。
【００１２】
ある実施形態において、前記第２凹部は、前記第２側面の中央に設けられている。
【００１３】
ある実施形態において、前記第２凹部は、前記第２側面の中央からずれた位置に設けられている。
【００１４】
ある実施形態において、前記外部材は、舌片をさらに有する。前記舌片は、突出部を有する。前記舌片は、前記外部材の前記底面および前記第１側面に設けられている。前記舌片は、前記第１側面の少なくとも一方の端部に位置する。
【００１５】
ある実施形態において、前記舌片の少なくとも一部は、前記第２側面に当接する。
【００１６】
ある実施形態において、前記舌片は、舌片本体部と、連結部とをさらに有する。前記舌片本体部は、前記外部材の前記底面と接続する。前記連結部は、前記第１側面と接続する。前記舌片本体部の少なくとも一部は、前記連結部の幅よりも広い。
【００１７】
ある実施形態において、前記第１側面は、前記舌片に隣接する位置の少なくとも一部に開口が設けられている。
【００１８】
ある実施形態において、前記内部材は、フィルムをさらに有する。
【発明の効果】
【００１９】
本発明に係る梱包具によれば、接着テープを用いずに容易に組み立てることができる。
【図面の簡単な説明】
【００２０】
【図１】本発明の実施形態１に係る梱包具の模式的な斜視図である。
【図２】（ａ）は、内部材の模式的な斜視図である。（ｂ）は、外部材の模式的な斜視図である。
【図３】（ａ）は、外部材の展開図である。（ｂ）は、突起部の近傍の拡大図である。
【図４】内部材の展開図である。
【図５】（ａ）および（ｂ）は、梱包具の組立方法を示す模式的な斜視図である。
【図６】（ａ）および（ｂ）は、梱包具の組立方法を示す模式的な斜視図である。
【図７】本発明の実施形態２に係る梱包具の模式的な斜視図である。
【図８】本発明の実施形態３に係る梱包具が備える外部材の展開図である。
【図９】（ａ）および（ｂ）は、梱包具の組立方法を示す模式的な斜視図である。
【図１０】本発明の実施形態４に係る梱包具の模式的な斜視図である。
【図１１】内部材の展開図である。
【図１２】本発明の実施形態５に係る梱包具が備える外部材の展開図である。
【図１３】本発明の実施形態５に係る梱包具の模式的な斜視図である。
【図１４】（ａ）は、本発明の実施形態６に係る梱包具が備える外部材の展開図である。図１４（ｂ）は、挿入部の近傍の拡大図である。
【図１５】（ａ）および（ｂ）は、梱包具の組立方法を示す模式的な斜視図である。
【図１６】（ａ）および（ｂ）は、梱包具の組立方法を示す模式的な斜視図である。
【図１７】（ａ）および（ｂ）は、梱包具の組立方法を示す模式的な斜視図である。
【図１８】本発明の実施形態７に係る梱包具の模式的な斜視図である。
【図１９】舌片の近傍の模試的な側面図である。
【図２０】（ａ）は、外部材の展開図である。（ｂ）は、舌片の近傍の拡大図である。
【図２１】（ａ）および（ｂ）は、梱包具の組立方法を示す模式的な斜視図である。
【図２２】（ａ）および（ｂ）は、梱包具の組立方法を示す模式的な斜視図である。
【図２３】本発明の実施形態８に係る梱包具の模式的な斜視図である。
【図２４】本発明の実施形態９に係る内部材を示す模式的な斜視図である。
【図２５】内部材の断面図である。
【図２６】梱包が行われて展開状態とされた内部材を示す斜視図である。
【図２７】側面を立ち上げた状態を示す斜視図である。
【発明を実施するための形態】
【００２１】
以下、本発明の実施形態について、図面を参照しながら説明する。なお、図中、同一または相当部分については同一の参照符号を付して説明を繰り返さない。
【００２２】
［実施形態１］
図１、図２（ａ）および図２（ｂ）を参照して、本発明の実施形態１に係る梱包具３００について説明する。図１は、本発明の実施形態１に係る梱包具３００の模式的な斜視図である。図２（ａ）は、内部材２００の模式的な斜視図である。図２（ｂ）は、外部材１００の模式的な斜視図である。
【００２３】
以下の説明において、図１に示す座標のＸ軸方向を左右方向（原点から見てＸ軸で正となる方向が右方向）、Ｙ軸方向を前後方向（原点から見てＹ軸で正となる方向が後方向）、Ｚ軸方向（ＸＹ平面に垂直な方向）を上下方向（原点から見てＺ軸で正となる方向が上方向）ということがある。
【００２４】
図１に示すように、梱包具３００は、外部材１００と内部材２００とを備える。梱包具３００は、外部材１００と内部材２００とを組み合わせて使用される。梱包具３００は、梱包対象物を梱包可能である。
【００２５】
図２（ａ）に示すように、内部材２００は、底面２１０と、側面２２０ａと、側面２２０ｂとを有する。側面２２０ａは、底面２１０に接続する。側面２２０ｂは、底面２１０に接続する。側面２２０ａは、底面２１０に対して、＋Ｚ方向側に折り曲げられている。側面２２０ｂは、底面２１０に対して、＋Ｚ方向側に折り曲げられている。側面２２０ａには、凹部２２２ａが設けられている。側面２２０ｂには、凹部２２２ｂが設けられている。
【００２６】
本明細書において、側面２２０ａおよび側面２２０ｂを、側面２２０と総称する場合がある。また、凹部２２２ａおよび凹部２２２ｂを、凹部２２２と総称する場合がある。
【００２７】
図２（ｂ）に示すように、外部材１００は、底面１１０と、側面１２０ａと、側面１２０ｂと、上面１３０ａと、上面１３０ｂと、突起部１４０ａと、突起部１４０ｂと、突起部１４０ｃと、突起部１４０ｄとを有する。なお、図２（ｂ）は、上面１３０ａと、上面１３０ｂと、突起部１４０ａと、突起部１４０ｂと、突起部１４０ｃと、突起部１４０ｄとが折り曲げられていない状態を示す。
【００２８】
側面１２０ａは、底面１１０に接続する。側面１２０ｂは、底面１１０に接続する。側面１２０ａは、底面１１０に対して、＋Ｚ方向側に折り曲げられている。側面１２０ｂは、底面１１０に対して、＋Ｚ方向側に折り曲げられている。本明細書において、側面１２０ａおよび側面１２０ｂを、側面１２０と総称する場合がある。
【００２９】
上面１３０ａは、側面１２０ａと接続する。上面１３０ｂは、側面１２０ｂと接続する。図１に示すように、上面１３０ａは、側面１２０ａに対して、＋Ｘ方向側に折り曲げられている。上面１３０ｂは、側面１２０ｂに対して、−Ｘ方向側に折り曲げられている。本明細書において、上面１３０ａおよび上面１３０ｂを、上面１３０と総称する場合がある。
【００３０】
突起部１４０ａと、突起部１４０ｂと、突起部１４０ｃと、突起部１４０ｄとのそれぞれは、本体部１４２と、凹部１４４とを有する。本明細書において、突起部１４０ａ、突起部１４０ｂ、突起部１４０ｃおよび突起部１４０ｄを、突起部１４０と総称する場合がある。本体部１４２の高さ（Ｚ軸方向に沿った長さ）は、側面２２０の高さ（Ｚ軸方向に沿った長さ）と等しい。したがって、突起部１４０の先端は、底面１１０に接触する（図１参照）。
【００３１】
突起部１４０は、上面１３０に接続する。詳しくは、突起部１４０ａは、上面１３０ａの−Ｙ方向側の端部に接続する。突起部１４０ｂは、上面１３０ａの＋Ｙ方向側の端部に接続する。突起部１４０ｃは、上面１３０ｂの−Ｙ方向側の端部に接続する。突起部１４０ｄは、上面１３０ｂの＋Ｙ方向側の端部に接続する。
【００３２】
図１に示すように、突起部１４０ａは、上面１３０ａに対して、−Ｚ方向側に折り曲げられている。同様に、突起部１４０ｂは、上面１３０ａに対して、−Ｚ方向側に折り曲げられている。また、突起部１４０ｃは、上面１３０ｂに対して、−Ｚ方向側に折り曲げられている。同様に、突起部１４０ｄは、上面１３０ｂに対して、−Ｚ方向側に折り曲げられている。
【００３３】
なお、凹部１４４は、「第１凹部」の一例に相当する。凹部２２２ａと凹部２２２ｂとは、「第２凹部」の一例に相当する。また、側面１２０ａと、側面１２０ｂとは、「第１側面」の一例に相当する。また、側面２２０ａと、側面２２０ｂとは、「第２側面」の一例に相当する。
【００３４】
梱包具３００は、外部材１００と内部材２００とを組み合わせた構成を有している。内部材２００は、外部材１００の底面１１０に載置される。内部材２００は、外部材１００の内側に位置する。外部材１００の側面１２０ａと、外部材１００の側面１２０ｂと、内部材２００の側面２２０ａと、内部材２００の側面２２０ｂとが梱包具３００の側面を構成する。詳しくは、外部材１００の側面１２０ａと、外部材１００の側面１２０ｂとが、梱包具３００のＹ軸方向に沿った側面を構成する。内部材２００の側面２２０ａと、内部材２００の側面２２０ｂとが、梱包具３００のＸ軸方向に沿った側面を構成する。第１側面と第２側面とは直交する。詳しくは、側面１２０ａおよび側面１２０ｂは、側面２２０ａおよび側面２２０ｂと直交する。
【００３５】
外部材１００と内部材２００とを組み合わせた状態において、第１凹部と第２凹部とは係合する。詳しくは、突起部１４０ａの凹部１４４と、凹部２２２ａとは係合する。また、突起部１４０ｃの凹部１４４と、凹部２２２ａとは係合する。また、突起部１４０ｂの凹部１４４と、凹部２２２ｂとは係合する。また、突起部１４０ｄの凹部１４４と、凹部２２２ｂとは係合する。したがって、上面１３０ａと上面１３０ｂとが、側面２２０ａと側面２２０ｂとに固定される。その結果、接着テープを用いずに、梱包具３００を容易に組み立てることができる。
【００３６】
図１、図２（ａ）、図２（ｂ）、図３（ａ）および図３（ｂ）を参照して、外部材１００についてさらに説明する。図３（ａ）は、外部材１００の展開図である。図３（ｂ）は、突起部１４０ａの近傍の拡大図である。
【００３７】
図３（ａ）に示すように、底面１１０と、側面１２０ａと、側面１２０ｂと、上面１３０ａと、上面１３０ｂとは矩形状である。外部材１００には、折曲線１９１と、折曲線１９２と、折曲線１９３とが形成されている。折曲線１９１と、折曲線１９２と、折曲線１９３とはＹ軸方向に沿って延びている。側面１２０ａと側面１２０ｂとは、底面１１０に対して、折曲線１９１を介して折り曲げ可能である。上面１３０ａは、側面１２０ａに対して、折曲線１９２を介して折り曲げ可能である。上面１３０ｂは、側面１２０ｂに対して、折曲線１９２を介して折り曲げ可能である。突起部１４０ａおよび突起部１４０ｂは、上面１３０ａに対して、折曲線１９３を介して折り曲げ可能である。突起部１４０ｃおよび突起部１４０ｄは、上面１３０ｂに対して、折曲線１９３を介して折り曲げ可能である。
【００３８】
図３（ｂ）に示すように、突起部１４０ａは、本体部１４２と、凹部１４４とに加えて、切込１４６をさらに有する。切込１４６は、凹部１４４からＸ軸方向に沿って延びている。凹部２２２ａ（図２（ａ）参照）が切込１４６まで達するように、凹部１４４と凹部２２２ａ（図２（ａ）参照）とは係合されている。したがって、凹部１４４と凹部２２２とが係合した状態から、凹部１４４が抜けることを抑制することができる。
【００３９】
図１、図２（ａ）、図２（ｂ）および図４を参照して、内部材２００についてさらに説明する。図４は、内部材２００の展開図である。
【００４０】
図４に示すように、底面２１０は、矩形状である。側面２２０ａと、側面２２０ｂとは、略矩形状である。内部材２００には、折曲線２９１が形成されている。折曲線２９１は、Ｘ軸方向に沿って延びている。側面２２０ａは、底面２１０に対して、折曲線２９１を介して折り曲げ可能である。側面２２０ｂは、底面２１０に対して、折曲線２９１を介して折り曲げ可能である。
【００４１】
凹部２２２は、側面２２０の中央に設けられている。すなわち、凹部２２２から＋Ｘ方向側の側面２２０の端縁までの距離と、凹部２２２から−Ｘ方向側の側面２２０の端縁までの距離とは等しい。詳しくは、凹部２２２ａは、側面２２０ａの中央に設けられている。凹部２２２ｂは、側面２２０ｂの中央に設けられている。
【００４２】
図１および図５（ａ）、図５（ｂ）、図６（ａ）および図６（ｂ）を参照して、梱包具３００の組立方法について説明する。図５（ａ）、図５（ｂ）、図６（ａ）および図６（ｂ）は、梱包具３００の組立方法を示す模式的な斜視図である。
【００４３】
まず、図５（ａ）に示すように、外部材１００を用意する。
【００４４】
次に、図５（ｂ）に示すように、側面１２０ａと側面１２０ｂとを、底面１１０に対して、＋Ｚ方向側に折り曲げる。
【００４５】
次に、図６（ａ）に示すように、内部材２００が外部材１００の内側に位置するように、内部材２００を外部材１００の底面１１０に載置する。
【００４６】
次に、図６（ｂ）に示すように、上面１３０ａを、側面１２０ａに対して、＋Ｘ方向側に折り曲げる。さらに、突起部１４０ａの凹部１４４と凹部２２２ａとが係合するように、突起部１４０ａを、上面１３０ａに対して、−Ｚ方向側に折り曲げる。同様に、突起部１４０ｂの凹部１４４と凹部２２２ｂとが係合するように、突起部１４０ｂを、上面１３０ａに対して、−Ｚ方向側に折り曲げる。
【００４７】
次に、図６（ｂ）に示す状態から、上面１３０ｂを、側面１２０ｂに対して、−Ｘ方向側に折り曲げる。さらに、突起部１４０ｃの凹部１４４と凹部２２２ａとが係合するように、突起部１４０ｃを、上面１３０ｂに対して、−Ｚ方向側に折り曲げる。同様に、突起部１４０ｄの凹部１４４と凹部２２２ｂとが係合するように、突起部１４０ｄを、上面１３０ｂに対して、−Ｚ方向側に折り曲げる。その結果、図１に示すように、梱包具３００が組み立てられる。
【００４８】
以上、図１〜図６を参照して説明したように、梱包具３００において、第１凹部（凹部１４４）と第２凹部（凹部２２２）とが係合する。したがって、上面１３０ａと上面１３０ｂとが、側面２２０ａと側面２２０ｂとに固定される。その結果、接着テープを用いずに、梱包具３００を容易に組み立てることができる。
【００４９】
また、第１凹部と第２凹部とは係合することによって、側面２２０ａと側面２２０ｂとのＹ軸方向への移動を抑制することができる。したがって、側面２２０ａと側面２２０ｂとが内側に押し込まれることを抑制することができる。
【００５０】
また、第１側面（側面１２０ａおよび側面１２０ｂ）と、第２側面（側面２２０ａおよび側面２２０ｂ）とは直交する。したがって、第１側面と第２側面とによって、梱包具３００の側面が構成される。このため、特許文献１のような外箱に内部材を入れる場合に比べて、段ボールの使用量を低減することができる。
【００５１】
また、本体部１４２の高さ（Ｚ軸方向に沿った長さ）は、第２側面（側面２２０）の高さ（Ｚ軸方向に沿った長さ）と等しい。したがって、突起部１４０の先端は、底面１１０に接触する。その結果、梱包具３００の上方からの圧力に対して強くすることができる。
【００５２】
［実施形態２］
図７を参照して、本発明の実施形態２に係る梱包具３００について説明する。図７は、本発明の実施形態２に係る梱包具３００の模式的な斜視図である。本体部１４２の高さが、側面２２０ａの高さよりも低い点を除いて、実施形態２に係る梱包具３００は、実施形態１に係る梱包具３００と同様な構成を有するため、重複部分については説明を省略する。
【００５３】
図７に示すように、本実施形態では、本体部１４２の高さは、側面２２０ａの高さよりも低い。したがって、突起部１４０の先端は、底面１１０に接触しない。本実施形態では、側面２２０ａの高さが、本体部１４２の高さと比較して高いので、比較的高さの高い梱包対象物を梱包することができる。
【００５４】
本実施形態でも、実施形態１と同様に、接着テープを用いずに、梱包具３００を容易に組み立てることができる。
【００５５】
［実施形態３］
図８を参照して、本発明の実施形態３に係る梱包具３００について説明する。図８は、本発明の実施形態３に係る梱包具３００が備える外部材１００の展開図である。外部材１００が、接続部１４８を有する点を除いて、実施形態３に係る梱包具３００は、実施形態１に係る梱包具３００と同様な構成を有するため、重複部分については説明を省略する。
【００５６】
図８に示すように、外部材１００は、底面１１０と、側面１２０ａと、側面１２０ｂと、上面１３０ａと、上面１３０ｂと、突起部１４０ａと、突起部１４０ｂと、突起部１４０ｃと、突起部１４０ｄとに加えて、接続部１４８をさらに有する。
【００５７】
接続部１４８は、突起部１４０ａと突起部１４０ｂとを接続する。なお、突起部１４０ａは、「第１突起部」の一例に相当する。突起部１４０ｂは、「第２突起部」の一例に相当する。接続部１４８は、突起部１４０ａと突起部１４０ｂと共に、上面１３０ａに対して、折曲線１９３を介して折り曲げ可能である。
【００５８】
同様に、接続部１４８は、突起部１４０ｃと突起部１４０ｄとを接続する。なお、突起部１４０ｃは、「第１突起部」の一例に相当する。突起部１４０ｄは、「第２突起部」の一例に相当する。接続部１４８は、突起部１４０ｃと突起部１４０ｄと共に、上面１３０ｂに対して、折曲線１９３を介して折り曲げ可能である。
【００５９】
接続部１４８のＸ軸方向に沿った長さは、側面１２０ａおよび側面１２０ｂのＸ軸方向に沿った長さと等しい。したがって、梱包具３００を組み立てた際、接続部１４８の先端は、底面１１０に接触する。
【００６０】
図１、図５（ａ）、図５（ｂ）、図６（ａ）、図８、図９（ａ）および図９（ｂ）を参照して、梱包具３００の組立方法について説明する。図９（ａ）および図９（ｂ）は、梱包具３００の組立方法を示す模式的な斜視図である。
【００６１】
図５（ａ）、図５（ｂ）および図６（ａ）を参照して説明した梱包具３００の組立方法と同様に、図９（ａ）に示すように、内部材２００が外部材１００の内側に位置するように、内部材２００を外部材１００の底面１１０に載置する。
【００６２】
次に、図９（ｂ）に示すように、上面１３０ａを、側面１２０ａに対して、＋Ｘ方向側に折り曲げる。さらに、突起部１４０ａと、突起部１４０ｂと、接続部１４８とを、上面１３０ａに対して、−Ｚ方向側に折り曲げる。この際、突起部１４０ａの凹部１４４と凹部２２２ａとが係合する。また、突起部１４０ｂの凹部１４４と凹部２２２ｂとが係合する。接続部１４８は、底面２１０と接触する。したがって、接続部１４８によって上面１３０ａが支持される。その結果、上面１３０ａが沈み込むことを抑制することができる。
【００６３】
次に、図９（ｂ）に示す状態から、上面１３０ｂを、側面１２０ｂに対して、−Ｘ方向側に折り曲げる。さらに、突起部１４０ｃと、突起部１４０ｄと、接続部１４８とを、上面１３０ｂに対して、−Ｚ方向側に折り曲げる。その結果、図１に示すように、梱包具３００が組み立てられる。この際、突起部１４０ｃの凹部１４４と凹部２２２ａとが係合する。また、突起部１４０ｄの凹部１４４と凹部２２２ｂとが係合する。接続部１４８は、底面２１０と接触する。したがって、接続部１４８によって上面１３０ｂが支持される。その結果、上面１３０ｂが沈み込むことを抑制することができる。
【００６４】
本実施形態でも、実施形態１〜実施形態２と同様に、接着テープを用いずに、梱包具３００を容易に組み立てることができる。
【００６５】
［実施形態４］
図１０を参照して、本発明の実施形態４に係る梱包具３００について説明する。図１０は、本発明の実施形態４に係る梱包具３００の模式的な斜視図である。凹部２２２が、側面２２０の中央からずれた位置に設けられている点を除いて、実施形態４に係る梱包具３００は、実施形態３に係る梱包具３００と同様な構成を有するため、重複部分については説明を省略する。
【００６６】
図１０に示すように、突起部１４０ａと突起部１４０ｃとは、側面２２０ａの中央からずれた位置に位置する。詳しくは、突起部１４０ａおよび突起部１４０ｃは、側面２２０ａの中央から−Ｘ方向側にずれた位置に位置する。
【００６７】
図１１を参照して、内部材２００について説明する。図１１は、内部材２００の展開図である。図１１に示す内部材２００は、凹部２２２が、側面２２０の中央からずれた位置に設けられている点を除いて、図４に示す内部材２００と同様な構成を有するため、重複部分については説明を省略する。
【００６８】
図１１に示すように、凹部２２２は、側面２２０の中央からずれた位置に設けられている。詳しくは、凹部２２２ａは、側面２２０ａの中央から−Ｘ方向側にずれた位置に設けられている。凹部２２２ｂは、側面２２０ｂの中央から−Ｘ方向側にずれた位置に設けられている。
【００６９】
本実施形態でも、実施形態１〜実施形態３と同様に、接着テープを用いずに、梱包具３００を容易に組み立てることができる。
【００７０】
［実施形態５］
図１２を参照して、本発明の実施形態５に係る梱包具３００について説明する。図１２は、本発明の実施形態５に係る梱包具３００が備える外部材１００の展開図である。２つの上面１３０のうち一方の上面１３０のみに突起部１４０が設けられており、他方の上面に差込口１３２が設けられている点を除いて、実施形態５に係る梱包具３００は、実施形態１に係る梱包具３００と同様な構成を有するため、重複部分については説明を省略する。
【００７１】
図１２に示すように、外部材１００は、底面１１０と、側面１２０ａと、側面１２０ｂと、上面１３０ａと、上面１３０ｂと、突起部１４０ａと、突起部１４０ｂとを有する。上面１３０ａには、差込口１３２ａと、差込口１３２ｂとが設けられている。本明細書において、差込口１３２ａおよび差込口１３２ｂを、差込口１３２と総称する場合がある。差込口１３２ａと、差込口１３２ｂとは、開口である。差込口１３２ａと、差込口１３２ｂとは、矩形状である。差込口１３２ａは、梱包具３００を組み立てた際に、突起部１４０ａが差し込むことが可能である位置に設けられる。差込口１３２ｂは、梱包具３００を組み立てた際に、突起部１４０ｂが差し込むことが可能である位置に設けられる。差込口１３２のＹ軸方向に沿った長さは、突起部１４０のＹ軸方向に沿った長さと略等しい。したがって、突起部１４０を差込口１３２に差し込むことができる。
【００７２】
図１３を参照して、本発明の実施形態５に係る梱包具３００について説明する。図１３は、本発明の実施形態５に係る梱包具３００の模式的な斜視図である。
【００７３】
図１３に示すように、突起部１４０を差込口１３２に差し込むことによって、上面１３０ｂと上面１３０ａとは、側面２２０に固定される。
【００７４】
本実施形態でも、実施形態１〜実施形態５と同様に、接着テープを用いずに、梱包具３００を容易に組み立てることができる。
【００７５】
［実施形態６］
図１４（ａ）および図１４（ｂ）を参照して、本発明の実施形態６に係る梱包具３００について説明する。図１４（ａ）は、本発明の実施形態６に係る梱包具３００が備える外部材１００の展開図である。図１４（ｂ）は、挿入部１３４の近傍の拡大図である。外部材１００が挿入部１３４を有し、挿入口１３６が設けられる点を除いて、実施形態６に係る梱包具３００は、実施形態３に係る梱包具３００と同様な構成を有するため、重複部分については説明を省略する。
【００７６】
図１４（ａ）に示すように、外部材１００は、底面１１０と、側面１２０ａと、側面１２０ｂと、上面１３０ａと、上面１３０ｂと、突起部１４０ａと、突起部１４０ｂと、突起部１４０ｃと、突起部１４０ｄと、接続部１４８とに加えて、挿入部１３４をさらに有する。上面１３０ｂは、「第１上面」の一例に相当する。上面１３０ａは、「第２上面」の一例に相当する。
【００７７】
外部材１００には、折曲線１９１と、折曲線１９２と、折曲線１９３と、折曲線１９４と、折曲線１９５とが形成されている。折曲線１９１と、折曲線１９２と、折曲線１９３と、折曲線１９４と、折曲線１９５とはＹ軸方向に沿って延びている。
【００７８】
突起部１４０ｃと、突起部１４０ｄとは、上面１３０ｂに接続する。
【００７９】
挿入部１３４は、上面１３０ｂに接続している。挿入部１３４は、突起部１４０ｃと突起部１４０ｄとの間に位置する。
【００８０】
上面１３０ａには、挿入口１３６が設けられている。挿入口１３６は、矩形状である。挿入口１３６は、梱包具３００を組み立てた際に、挿入部１３４を挿入することが可能である位置に設けられる。
【００８１】
図１４（ｂ）に示すように、挿入部１３４は、第１本体部１３４２と、第２本体部１３４４とを有する。第１本体部１３４２は、上面１３０ａを押さえる。第２本体部１３４４は、挿入口１３６に挿入される。第１本体部１３４２は、上面１３０ｂに対して、折曲線１９４を介して折り曲げ可能である。第２本体部１３４４は、第１本体部１３４２に対して、折曲線１９５を介して折り曲げ可能である。
【００８２】
図１５（ａ）、図１５（ｂ）、図１６（ａ）、図１６（ｂ）、図１７（ａ）および図１７（ｂ）を参照して、梱包具３００の組立方法について説明する。図１５（ａ）、図１５（ｂ）、図１６（ａ）、図１６（ｂ）、図１７（ａ）および図１７（ｂ）は、梱包具３００の組立方法を示す模式的な斜視図である。
【００８３】
まず、図１５（ａ）に示すように、外部材１００を用意する。
【００８４】
次に、図１５（ｂ）に示すように、側面１２０ａと側面１２０ｂとを、底面１１０に対して、＋Ｚ方向側に折り曲げる。
【００８５】
次に、図１６（ａ）に示すように、内部材２００が外部材１００の内側に位置するように、内部材２００を外部材１００の底面１１０に載置する。
【００８６】
次に、図１６（ｂ）に示すように、上面１３０ａを、側面１２０ａに対して、＋Ｘ方向側に折り曲げる。さらに、突起部１４０ａの凹部１４４と凹部２２２ａとが係合するように、突起部１４０ａを、上面１３０ａに対して、−Ｚ方向側に折り曲げる。同様に、突起部１４０ｂの凹部１４４と凹部２２２ｂとが係合するように、突起部１４０ｂを、上面１３０ａに対して、−Ｚ方向側に折り曲げる。
【００８７】
次に、図１７（ａ）に示すように、上面１３０ｂを、側面１２０ｂに対して、−Ｘ方向側に折り曲げる。さらに、突起部１４０ｃの凹部１４４と凹部２２２ａとが係合するように、突起部１４０ｃを、上面１３０ｂに対して、−Ｚ方向側に折り曲げる。同様に、突起部１４０ｄの凹部１４４と凹部２２２ｂとが係合するように、突起部１４０ｄを、上面１３０ｂに対して、−Ｚ方向側に折り曲げる。そして、挿入部１３４を、＋Ｚ方向側に折り曲げる。
【００８８】
次に、図１７（ｂ）に示すように、挿入部１３４を挿入口１３６に挿入する。挿入部１３４が挿入口１３６に挿入されているため、上面１３０ｂを上面１３０ａに固定することができる。さらに、挿入部１３４によって上面１３０ａが押さえられることによって、上面１３０ａの浮き上がりを抑制することができる。
【００８９】
本実施形態でも、実施形態１〜実施形態５と同様に、接着テープを用いずに、梱包具３００を容易に組み立てることができる。
【００９０】
さらに、挿入部１３４が挿入口１３６に挿入されている。したがって、第１上面（上面１３０ｂ）を第２上面（上面１３０ａ）に固定することができる。さらに、挿入部１３４によって第２上面（上面１３０ａ）が押さえられることによって、第２上面（上面１３０ａ）の浮き上がりを抑制することができる。
【００９１】
［実施形態７］
図１８を参照して、本発明の実施形態７に係る梱包具３００について説明する。図１８は、本発明の実施形態７に係る梱包具３００の模式的な斜視図である。外部材１００が舌片を有する点を除いて、実施形態７に係る梱包具３００は、実施形態１に係る梱包具３００と同様な構成を有するため、重複部分については説明を省略する。
【００９２】
図１８に示すように、外部材１００は、底面１１０と、側面１２０ａと、側面１２０ｂと、上面１３０ａと、上面１３０ｂと、突起部１４０ａと、突起部１４０ｂと、突起部１４０ｃと、突起部１４０ｄとに加えて、舌片１６０ａと、舌片１６０ｂと、舌片１６０ｃと、舌片１６０ｄとをさらに有する。なお、突起部１４０ｂと、突起部１４０ｄと、舌片１６０ｂと、舌片１６０ｄとは図１８においては図示されていない。本明細書において、舌片１６０ａ、舌片１６０ｂ、舌片１６０ｃおよび舌片１６０ｄを、舌片１６０と総称する場合がある。
【００９３】
舌片１６０は、底面１１０および側面１２０に設けられている。詳しくは、舌片１６０ａおよび舌片１６０ｂは、底面１１０および側面１２０ａに設けられている。舌片１６０ｃおよび舌片１６０ｄは、底面１１０および側面１２０ｂに設けられている。舌片１６０は、側面１２０の少なくとも一方の端部に位置する。詳しくは、舌片１６０ａおよび舌片１６０ｂは、側面１２０ａの端部に位置する。舌片１６０ｃおよび舌片１６０ｄは、側面１２０ｂの端部に位置する。舌片１６０は、側面２２０の端部に当接する。詳しくは、舌片１６０ａおよび舌片１６０ｃは、側面２２０ａの端部に当接する。舌片１６０ｂおよび舌片１６０ｄは、側面２２０ｂの端部に当接する。したがって、舌片１６０によって内部材２００が固定される。舌片１６０ａ〜舌片１６０ｄは、突出部１６２を有する。突出部１６２については、図１９を参照して後述する。
【００９４】
次に、図１９を参照して、舌片１６０についてさらに説明する。図１９は、舌片１６０ｃの近傍の模試的な側面図である。
【００９５】
図１９に示すように、舌片１６０ｃは、突出部１６２に加えて、舌片本体部１６４と、連結部１６６とを有する。舌片１６０ｃは、側面１２０ｂを起立させたとき、突出部１６２を頂点としてＶ字状（約９０度）に屈曲している。
【００９６】
突出部１６２は、側面１２０ｂが起立した状態で、側面１２０ｂの内側に突出する。
【００９７】
舌片本体部１６４は、底面１１０と接続している。側面１２０ｂを起立させたとき、舌片本体部１６４は、側面１２０ｂよりも内側に位置している。舌片本体部１６４の長さは、連結部１６６の長さと略同一である。
【００９８】
連結部１６６は、上面１３０ｂと接続している。側面１２０ｂを起立させたとき、連結部１６６は、側面１２０ｂよりも内側に位置している。
【００９９】
側面１２０ｂを起立させたとき、舌片本体部１６４および連結部１６６の全てが側面１２０ｂよりも内側に位置している。すなわち、側面１２０ｂを起立させたとき、舌片１６０ｃの全てが側面１２０ｂよりも内側に位置している。したがって、舌片１６０ｃ全体で側面２２０ａと当接する。したがって、輸送時に内部材２００がずれることを抑制することができる。
【０１００】
図２０（ａ）および図２０（ｂ）を参照して、外部材１００についてさらに説明する。図２０（ａ）は、外部材１００の展開図である。図２０（ｂ）は、舌片１６０ａの近傍の拡大図である。
【０１０１】
図２０（ａ）および図２０（ｂ）に示すように、外部材１００には、折曲線１９１と、折曲線１９２と、折曲線１９３と、折曲線１９６と、折曲線１９７とが形成されている。折曲線１９１と、折曲線１９２と、折曲線１９３と、折曲線１９６と、折曲線１９７とはＹ軸方向に沿って延びている。
【０１０２】
図２０（ｂ）に示すように、舌片本体部１６４は、矩形状である。舌片本体部１６４は、＋Ｘ方向側の端縁において、折曲線１９６を介して底面１１０に接続している。舌片本体部１６４は、折曲線１９６を軸として、底面１１０に対し回動可能である。
【０１０３】
連結部１６６は、矩形状である。連結部１６６は、−Ｘ方向側の端縁において、折曲線１９７を介して側面１２０ａおよび上面１３０ａに接続している。連結部１６６は、折曲線１９７を軸として、側面１２０ａに対し回動可能である。
【０１０４】
底面１１０および側面１２０には、開口１６８が設けられている。本実施形態では、開口１６８は、矩形状である。開口１６８は、舌片１６０に隣接する位置に配置される。詳しくは、開口１６８は、舌片本体部１６４に隣接する位置の少なくとも一部に配置される。すなわち、折曲線１９１と舌片本体部１６４との間に開口１６８は設けられる。したがって、折曲線１９１において側面１２０を起立させる際、側面１２０と舌片１６０とに生じる摩擦が少なくなり、側面１２０を起立させ易くなる。さらに、折曲線１９１において側面１２０を起立させる際、側面１２０の折り曲げの影響で舌片本体部１６４および連結部１６６が折れ曲がることを抑制することができる。
【０１０５】
また、舌片本体部１６４の少なくとも一部は、連結部１６６の幅よりも広い。したがって、舌片本体部１６４の少なくとも一部によって側面１２０を固定することができる。さらに、側面１２０を起立させる際、側面１２０と舌片１６０とに生じる摩擦が少なくなり、側面１２０を起立させ易くなる。
【０１０６】
図１８および図２１（ａ）、図２１（ｂ）、図２２（ａ）および図２２（ｂ）を参照して、梱包具３００の組立方法について説明する。図２１（ａ）、図２１（ｂ）、図２２（ａ）および図２２（ｂ）は、梱包具３００の組立方法を示す模式的な斜視図である。
【０１０７】
まず、図２１（ａ）に示すように、外部材１００を用意する。
【０１０８】
次に、図２１（ｂ）に示すように、舌片１６０ａの突出部１６２と、舌片１６０ｂの突出部１６２とが、側面１２０ａおよび底面１１０の内側に突出するように、側面１２０ａを、底面１１０に対して、＋Ｚ方向側に折り曲げる。したがって、起立している側面１２０ａが、段ボールの復元力により復元することを抑制することができる。その結果、側面１２０ａが底面１１０に対して略９０度の角度で起立した状態を保持することができる。
【０１０９】
同様に、舌片１６０ｃの突出部１６２と、舌片１６０ｄの突出部１６２とが、側面１２０ｂおよび底面１１０の内側に突出するように、側面１２０ｂを、底面１１０に対して、＋Ｚ方向側に折り曲げる。したがって、起立している側面１２０ｂが、段ボールの復元力により復元することを抑制することができる。その結果、側面１２０ａが底面１１０に対して略９０度の角度で起立した状態を保持することができる。
【０１１０】
次に、図２２（ａ）に示すように、内部材２００が外部材１００の内側に位置するように、内部材２００を外部材１００の底面１１０に載置する。舌片１６０が側面１２０の端部に位置するため、舌片１６０は内部材２００を底面１１０に載置するための位置決め部材として機能する。したがって、内部材２００を所定の場所に容易に載置することができる。
【０１１１】
次に、図２２（ｂ）に示すように、上面１３０ａを、側面１２０ａに対して、＋Ｘ方向側に折り曲げる。さらに、突起部１４０ａの凹部１４４と凹部２２２ａとが係合するように、突起部１４０ａを、上面１３０ａに対して、−Ｚ方向側に折り曲げる。同様に、突起部１４０ｂの凹部１４４と凹部２２２ｂとが係合するように、突起部１４０ｂを、上面１３０ａに対して、−Ｚ方向側に折り曲げる。
【０１１２】
次に、図２２（ｂ）に示す状態から、上面１３０ｂを、側面１２０ｂに対して、−Ｘ方向側に折り曲げる。さらに、突起部１４０ｃの凹部１４４と凹部２２２ａとが係合するように、突起部１４０ｃを、上面１３０ｂに対して、−Ｚ方向側に折り曲げる。同様に、突起部１４０ｄの凹部１４４と凹部２２２ｂとが係合するように、突起部１４０ｄを、上面１３０ｂに対して、−Ｚ方向側に折り曲げる。その結果、図１８に示すように、梱包具３００が組み立てられる。
【０１１３】
本実施形態でも、実施形態１〜実施形態６と同様に、接着テープを用いずに、梱包具３００を容易に組み立てることができる。
【０１１４】
さらに、舌片１６０は、第１側面（側面１２０）の少なくとも一方の端部に位置する。したがって、舌片１６０によって、内部材２００を容易に固定することができる。
【０１１５】
また、舌片１６０の少なくとも一部は、第２側面（側面２２０）に当接する。したがって、舌片１６０によって内部材２００が固定される。
【０１１６】
また、舌片本体部１６４の少なくとも一部は、連結部１６６の幅よりも広い。したがって、舌片本体部１６４の少なくとも一部によって側面１２０を固定することができる。さらに、側面１２０を起立させる際、側面１２０と舌片１６０とに生じる摩擦が少なくなり、側面１２０を起立させ易くなる。
【０１１７】
また、底面１１０および側面１２０には、開口１６８が設けられている。詳しくは、開口１６８は、舌片本体部１６４に隣接する位置の少なくとも一部に配置される。すなわち、折曲線１９１と舌片本体部１６４との間に開口１６８は設けられる。したがって、折曲線１９１において側面１２０を起立させる際、側面１２０と舌片１６０とに生じる摩擦が少なくなり、側面１２０を起立させ易くなる。さらに、折曲線１９１において側面１２０を起立させる際、側面１２０の折り曲げの影響で舌片本体部１６４および連結部１６６が折れ曲がることを抑制することができる。
【０１１８】
［実施形態８］
図２３を参照して、本発明の実施形態８に係る梱包具３００について説明する。図２３は、本発明の実施形態８に係る梱包具３００の模式的な斜視図である。舌片１６０が側面１２０の中央に設けられる点を除いて、実施形態８に係る梱包具３００は、実施形態７に係る梱包具３００と同様な構成を有するため、重複部分については説明を省略する。
【０１１９】
図２３に示すように、舌片１６０が側面１２０の中央に設けられる。したがって、舌片１６０によって、側面２２０の移動を抑制することができる。
【０１２０】
本実施形態でも、実施形態１〜実施形態７と同様に、接着テープを用いずに、梱包具３００を容易に組み立てることができる。
【０１２１】
［実施形態９］
図２４〜図２７を参照して、本発明の実施形態９に係る内部材２００について説明する。図２４は、本発明の実施形態９に係る内部材２００を示す模式的な斜視図である。実施形態９に係る内部材２００は、フィルム３０をさらに有する点を除いて、実施形態１に係る内部材２００と同様な構成を有するため、重複部分については説明を省略する。
【０１２２】
図２４〜図２７を参照して内部材２００について説明する。図２４は、本発明の実施形態９に係る内部材２００を示す斜視図である。図２４に示すように、内部材２００は、板（板状部材の一例）１０と、フィルム３０とを備えている。本実施形態では、フィルム３０は筒状である。板１０には、フィルム３０が取り付けられている。詳しくは、板１０には、フィルム３０が巻かれている。内部材２００は、梱包対象物５０を梱包可能である。
【０１２３】
本実施形態において、板１０は、例えば、厚みが５ミリメートル程度の、１枚の段ボール製である。フィルム３０は、例えばポリエチレン製で伸縮性（可撓性）を有するフィルムである。フィルム３０は、無色透明であるが、これに限られず、いわゆる半透明や不透明であってもよいし、着色されていてもよい。
【０１２４】
なお、図２４においては内部材２００の展開状態が示されている。展開状態の内部材２００の寸法は、例えば、左右方向が３００ミリメートル程度であって、前後方向が１８０ミリメートル程度である。内部材２００の寸法は、これに限られるものではなく、梱包対象として想定される梱包対象物の大きさや種々の用途などに応じて設定される。
【０１２５】
図２４に示されるように、板１０には、３本の折曲げ線（折り目；筋）２１、２３、２４が設けられている。すなわち、１本の主折曲げ線２１と、２本の副折曲げ線２３、２４とが形成されている。これらの折曲げ線２１、２３、２４は、例えば、いわゆる筋付けローラーや筋付け刃を押し付けることにより形成される。折曲げ線２１、２３、２４には、ミシン目加工が行われるようにしてもよい。
【０１２６】
主折曲げ線２１は、板１０の前後方向の略中央となる位置に、左右方向に平行に（Ｙ軸に平行に）配置されている。板１０は、主折曲げ線２１について、前後両端部が上方に変位するように容易に折り曲げることができる。
【０１２７】
副折曲げ線２３は、板１０の右端部近傍位置に、前後方向に平行に（Ｘ軸に平行に）配置されている。また、副折曲げ線２４は、板１０の左端部近傍位置に、前後方向に平行に配置されている。板１０は、副折曲げ線２３について、右端部が上方に変位するように容易に折り曲げることができる。板１０は、副折曲げ線２４について、左端部が上方に変位するように容易に折り曲げることができる。
【０１２８】
板１０には、梱包される梱包対象物５０（図２５）が配置される配置面１１と、配置面１１に隣接する隣接面１２と、２つの側面２２０ａ、２２０ｂとの４つの区画が設けられている。なお、底面２１０は、配置面１１との一部と、隣接面１２の一部とを含む。
【０１２９】
配置面１１と隣接面１２との間には、主折曲げ線２１が配置されている。換言すると、配置面１１と隣接面１２とは、主折曲げ線２１を介して区画されている。配置面１１は、板１０の前側に、隣接面１２は板１０の後ろ側に、それぞれ配置されている。側面２２０ａ、２２０ｂは、副折曲げ線２３、２４を介して、それぞれ、配置面１１および隣接面１２に隣接するように区画されている。側面２２０ａは、板１０のうち、副折曲げ線２３よりも右側の部分である。側面２２０ｂは、板１０のうち、副折曲げ線２４よりも左側の部分である。換言すると、配置面１１は、主折曲げ線２１より前方の部位であって、副折曲げ線２３、２４の間にある部位である。側面２２０ａには、凹部２２２ａが設けられている。側面２２０ｂには、凹部２２２ｂが設けられている。また、隣接面１２は、主折曲げ線２１より後方の部位であって、副折曲げ線２３、２４の間にある部位である。
【０１３０】
板１０は、隣接面１２と側面２２０ａ、２２０ｂの後方の部位とが、配置面１１と側面２２０ａ、２２０ｂの前方の部位とに対して、主折曲げ線２１で折り曲げ可能である。
【０１３１】
フィルム３０は、板１０のうち、主に配置面１１と隣接面１２とを囲むように配置されている。筒状のフィルム３０の幅方向（周方向に直交する方向）が左右方向になるように、フィルム３０が配置されている。換言すると、フィルム３０は、主折曲げ線２１がフィルム３０が形成する筒の内部を貫くようにして、板１０に巻かれている。
【０１３２】
フィルム３０は、板１０に、種々の方法で取り付けられればよい。例えば、予め環状に形成されたフィルム３０の内部に板１０を通すことでフィルム３０が板１０に取り付けられる。また、例えば、帯掛包装機などを用いて、板１０に対してフィルム３０を少なくとも１周巻回し、フィルム３０どうしを接着することで、フィルム３０が板１０に取り付けられる。フィルム３０が板１０に取り付けられている状態で、板１０は、各折曲げ線２１、２３、２４で折り曲げ可能である。
【０１３３】
本実施形態では、主折曲げ線２１は、板１０の前後中央よりも後ろ側にオフセットされている。すなわち、主折曲げ線２１は、板１０の中心からずれた位置に位置する。配置面１１の面積は、隣接面１２の面積よりも大きい。
【０１３４】
次に、内部材２００を用いて梱包対象物５０を梱包する方法について説明する。図２５は、内部材２００の断面図である。図２５において上から下に、ステップＳ１１、Ｓ１２、Ｓ１３を順にたどるようにして、内部材２００を用いた梱包が行われる。
【０１３５】
図２５に示されるように、展開状態の内部材２００は、平板状である（Ｓ１１）。この状態から、図に上向き矢印で示されるように、板１０を主折曲げ線２１において折り曲げて隣接面１２を配置面１１に近づけ、折曲げ状態にする（折り曲げステップ）。
【０１３６】
次に、板１０が折り曲げられた状態で、配置面１１とフィルム３０との間の隙間Ａに、梱包対象物５０が配置される（Ｓ１２；配置ステップ）このように、内部材２００は、主折曲げ線２１で隣接面１２が配置面１１に対して折り曲げられた状態（以下、折曲げ状態ということがある）にされる。内部材２００が折曲げ状態であるとき、フィルム３０と板１０の上面との間の隙間Ａに梱包対象物を配置可能である。
【０１３７】
その後、図に下向き矢印で示されるように、隣接面１２を配置面１１に対して展開し、展開状態とする（Ｓ１３）。そうすると、フィルム３０が梱包対象物５０の上部に接触した状態で張られる。それにより、梱包対象物５０が板１０に押し付けられた状態となる（展開ステップ）。
【０１３８】
図２６は、梱包が行われて展開状態とされた内部材２００を示す斜視図である。
【０１３９】
図２６に示されるように、展開ステップが行われると、側面視で、板１０の前端部、後端部、主折曲げ線２１部の折り目部分、および梱包対象物５０の上部を直線で結ぶ経路の長さが、梱包対象物５０が配置されていることにより、当初の展開状態よりも大きくなる。フィルム３０は、梱包対象物５０の上部に接触した状態で、若干伸長しながら張られる。そのため、フィルム３０により、梱包対象物５０が板１０に押し付けられる。
【０１４０】
ここで、本実施形態においては、上記のように展開ステップにするとき、側面２２０ａ、２２０ｂを副折曲げ線２３、２４で配置面１１に対して折り曲げることによって、立ち上げた状態にすることができる。これにより、隣接面１２を配置面１１に対して展開させ、それによってフィルム３０を張ることができる。なお、展開ステップを行った後で、側面２２０ａ、２２０ｂを立ち上げてもよい（立ち上げステップ）。
【０１４１】
図２７は、側面２２０ａ、２２０ｂを立ち上げた状態を示す斜視図である。
【０１４２】
図２７に示されるように、副折曲げ線２３、２４は主折曲げ線２１に板１０上で交わるので、側面２２０ａ、２２０ｂを副折曲げ線２３、２４で折り曲げると、板１０が、配置面１１と隣接面１２との部分において展開された状態のまま（隣接面１２が配置面１１に対して略平行となるように展開された状態のまま）で保持される。換言すると、配置面１１と隣接面１２とが略平行となる状態にならなければ、側面２２０ａ、２２０ｂを折り曲げることができない。本実施形態においては、板１０上で互いに交わらない２つの副折曲げ線２３、２４のそれぞれを介して２つの側面２２０ａ、２２０ｂが設けられているので、両側面２２０ａ、２２０ｂを折り曲げて立ち上げ状態とすることで、板１０が、配置面１１と隣接面１２との部分で展開された状態が、確実に保持される。
【０１４３】
以上、図面（図１〜図２７）を参照しながら本発明の実施形態を説明した。但し、本発明は、上記の実施形態に限られるものではなく、その要旨を逸脱しない範囲で種々の態様において実施することが可能である。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【符号の説明】
【０１４４】
３０      フィルム
１００    外部材
１１０    底面
１２０、１２０ａ、１２０ｂ  側面（第１側面）
１３０    上面
１３０ａ  上面（第２上面）
１３０ｂ  上面（第１上面）
１３４    挿入部
１３６    挿入口
１４０    突起部
１４０ａ  突起部（第１突起部）
１４０ｂ  突起部（第２突起部）
１４０ｃ  突起部（第１突起部）
１４０ｄ  突起部（第２突起部）
１４２    本体部
１４４    凹部（第１凹部）
１４８    接続部
１６０、１６０ａ、１６０ｂ、１６０ｃ、１６０ｄ  舌片
１６２    突出部
１６８    開口
２００    内部材
２１０    底面
２２０、２２０ａ、２２０ｂ  側面（第２側面）
２２２、２２２ａ、２２２ｂ  凹部（第２凹部）
３００    梱包具
【図１】
2020083443.tif 000003
【図２】
2020083443.tif 000004
【図３】
2020083443.tif 000005
【図４】
2020083443.tif 000006
【図５】
2020083443.tif 000007
【図６】
2020083443.tif 000008
【図７】
2020083443.tif 000009
【図８】
2020083443.tif 000010
【図９】
2020083443.tif 000011
【図１０】
2020083443.tif 000012
【図１１】
2020083443.tif 000013
【図１２】
2020083443.tif 000014
【図１３】
2020083443.tif 000015
【図１４】
2020083443.tif 000016
【図１５】
2020083443.tif 000017
【図１６】
2020083443.tif 000018
【図１７】
2020083443.tif 000019
【図１８】
2020083443.tif 000020
【図１９】
2020083443.tif 000021
【図２０】
2020083443.tif 000022
【図２１】
2020083443.tif 000023
【図２２】
2020083443.tif 000024
【図２３】
2020083443.tif 000025
【図２４】
2020083443.tif 000026
【図２５】
2020083443.tif 000027
【図２６】
2020083443.tif 000028
【図２７】
2020083443.tif 000029